(57)【特許請求の範囲】
【請求項１】
吸引キャニスタ用の蓋アセンブリであって、
キャニスタと係合するように内部に形成されるリップ部を有する蓋と、
前記蓋の上表面の上方を延びるとともに開放頂部端を有する頂部と前記蓋の底面の下方を延びるとともに開放底部端を有する底部とを有する中空の円筒状構造体と、
前記中空の円筒状構造体の前記底部の前記開放底部端のすべてまたは一部を覆う底壁部と、
前記中空の円筒状構造体の前記底部に形成される１つ以上の開口部と、
前記中空の円筒状構造体の前記底部に形成されるとともに前記中空の円筒状構造体の内部に延びる１つ以上のタブと、
前記底壁部と前記１つ以上のタブとの間において前記中空の円筒状構造体の前記内部に配置されるとともに前記底壁部と前記１つ以上のタブとの間を前記中空の円筒状構造体の前記内部内で移動可能なボールフロートと、
前記中空の円筒状構造体に配置されるフィルタカートリッジと、を備え、
前記フィルタカートリッジの底部開口部の隆起部は、前記ボールフロートが上方に浮かぶ際に該ボールフロートの一部が前記フィルタカートリッジの前記底部開口部を閉鎖するべく前記１つ以上のタブの底部の上に延びるように、該１つ以上のタブの底部に延びることを特徴とする、吸引キャニスタ用の蓋アセンブリ。
【請求項２】
吸引キャニスタ用の蓋アセンブリであって、
キャニスタと係合するように内部に形成されるリップ部を有する蓋と、
前記蓋の上表面の上方を延びるとともに開放頂部端を有する頂部と前記蓋の底面の下方を延びるとともに開放底部端を有する底部とを有する中空の円筒状構造体と、
前記中空の円筒状構造体の前記底部の前記開放底部端のすべてまたは一部を覆う底壁部と、
前記中空の円筒状構造体の前記底部に形成される１つ以上の開口部と、
前記中空の円筒状構造体の前記底部に形成されるとともに前記中空の円筒状構造体の内部に延びる１つ以上のタブと、
前記底壁部と前記１つ以上のタブとの間において前記中空の円筒状構造体の前記内部に配置されるとともに前記底壁部と前記１つ以上のタブとの間を前記中空の円筒状構造体の前記内部内で移動可能なボールフロートと、
前記中空の円筒状構造体に配置されるフィルタカートリッジと、を備え、
前記フィルタカートリッジは、
前記中空の円筒状構造体の前記頂部の径未満の第１の径を有する筒状体と、
前記中空の円筒状構造体の前記頂部の前記径よりも大きい第２の径を有するキャップと、
前記キャップを通して延びるとともに前記フィルタカートリッジの内部と前記フィルタカートリッジの外部との間を連通させるチューブと、を含み、
前記筒状体および前記キャップは前記中空の円筒状構造体の前記開放頂部端を受承するために、前記筒状体と前記キャップとの間に空間を形成し、
前記筒状体の断面の径は前記ボールフロートの径未満であることを特徴とする、吸引キャニスタ用の蓋アセンブリ。
【請求項３】
前記蓋には、開口が形成されることを特徴とする請求項１又は２に記載の蓋アセンブリ。
【請求項４】
前記蓋アセンブリのすべての要素は、ポリエチレンからなることを特徴とする請求項１又は２に記載の蓋アセンブリ。
【請求項５】
前記ボールフロートはポリプロピレンからなることを特徴とする請求項１又は２に記載の蓋アセンブリ。
【請求項６】
前記フィルタカートリッジは、
前記中空の円筒状構造体の前記頂部の径未満の第１の径を有する筒状体と、
前記中空の円筒状構造体の前記頂部の前記径よりも大きい第２の径を有するキャップと、
前記キャップを通して延びるとともに前記フィルタカートリッジの内部と前記フィルタカートリッジの外部との間を連通させるチューブとを含むことを特徴とする請求項１に記載の蓋アセンブリ。
【請求項７】
前記筒状体および前記キャップは前記中空の円筒状構造体の前記開放頂部端を受承するために、前記筒状体と前記キャップとの間に空間を形成することを特徴とする請求項６に記載の蓋アセンブリ。
【請求項８】
前記フィルタカートリッジが摩擦適合により前記中空の円筒状構造体の前記頂部に保持されることを特徴とする請求項２又は７に記載の蓋アセンブリ。
【請求項９】
前記筒状体の断面の径は前記ボールフロートの径未満であることを特徴とする請求項７に記載の蓋アセンブリ。
【請求項１０】
前記フィルタカートリッジはポリエチレンからなることを特徴とする請求項２又は６に記載の蓋アセンブリ。
【請求項１１】
前記筒状体に配置されるとともに前記チューブに係合するフィルタ要素をさらに備えることを特徴とする請求項２又は６に記載の蓋アセンブリ。
【請求項１２】
前記フィルタ要素は、親水性または吸湿性を示す材料からなることを特徴とする請求項１１に記載の蓋アセンブリ。
【発明の詳細な説明】
【技術分野】
【０００１】
本発明は通常キャニスタに関する。より詳細には、本発明は、医療処置の間に流体を収集するための、医療用吸引または吸入装置と組み合わせて使用されるキャニスタに関する。
【背景技術】
【０００２】
医療用吸引および吸入装置は、医療処置または緊急事態の間に体液を取り除くことに使用される。これらの吸引および吸入装置は、体液を受承するために通常キャニスタを含む。外科的処置の間に吸入に使用される本装置は、ホースを介して収集キャニスタに接続される棒状収集装置を含む。真空ポンプもキャニスタに接続され、これにより、キャニスタおよび収集装置に真空を生じさせる。吸入された流体が身体から取り除かれると、これらは収集キャニスタに集められる。
【発明の概要】
【発明が解決しようとする課題】
【０００３】
キャニスタ内の吸引された流体と装置の操作者との間の接触を最小限にするとともに真空ポンプ内に吸引される流体を有することを回避することが望ましいため、真空源が接続される開口から流体を隔離する手段を設けることが望ましい。
【課題を解決するための手段】
【０００４】
本発明は、キャニスタ内に吸引された流体を保持するための濾過遮断装置を有するキャニスタに関する。装置は、交換可能なフィルタカートリッジと接触可能なボールフロート弁からなる。湿ると気流および流体流を制限する吸収性を備えた弁がフィルタカートリッジ内に配置され、流体が真空源を通過して流れることを防止する。手術において、キャニスタが満杯になると、ボールフロートは上昇し、フィルタカートリッジへの底部入口を閉鎖する。ボールフロートを過ぎて漏洩する任意の流体は、吸収性を備えた弁と接触する。これにより、流体は、真空源に確実に進入不能となる。
【図面の簡単な説明】
【０００５】
【図１】装置を示す分解斜視透視図。
【図２】フィルタカートリッジおよびフィルタ要素を示す斜視透視図。
【図３】フィルタカートリッジ１０内への流体の流れを止める所定の位置におけるボールフロートを示す、フィルタカートリッジを示す断面図。
【図４】装置の蓋の底部を示す斜視透視図。
【図５】装置の蓋を示す断面透視図。
【図６】内部に挿入されたフィルタカートリッジを有する装置の蓋を示す断面透視図。
【発明を実施するための形態】
【０００６】
図１は、本発明の装置を示す分解図である。使用の際に、キャニスタ５０は吸入された体液を収集することに使用される。実際上、使用後に、キャニスタ５０は蓋４０と同様に再使用のために通常空にされ清掃される。キャニスタ５０はスチレンアクリロニトリル、あるいは他の硬質なプラスチックからなる。蓋４０は交換可能なフィルタカートリッジ１０を使用し、これは、装置の使用ごとに交換される。本発明の新規性は、蓋４０およびフィルタカートリッジ１０の設計にあり、これにより、再使用のためにフィルタカートリッジ１０は交換可能である。本発明の新規な態様による蓋４０およびフィルタカートリッジ１０は、様々なタイプのキャニスタ本体５０と組み合わせて使用されることに留意する。蓋４０は、ボールフロート弁用のハウジングの他、吸引棒が通常接続される入口ポートを含む。後述するように、ボールフロート３０は蓋４０内に載置される。交換可能なフィルタカートリッジ１０はフィルタ要素２０を内部に保持するとともに真空源への接続用の開口をさらに含む。
【０００７】
図２はフィルタカートリッジを示す斜視透視図である。好ましくは、フィルタカートリッジ１０は低密度ポリエチレンからなる。図示のように、フィルタ要素２０は、一端２１０が閉鎖され他端が開放される中空のシリンダ２２０からなる。開口部２００は、フィルタ要素２０内の円筒状の空隙に開放される。フィルタ要素２０はフィルタカートリッジ１０の本体内を摺動し、開口部２００でニップル１３０と係合し、フィルタカートリッジ１０の筒状部の内側表面に沿って形成される複数の隆起部１４０によって適所に保持される。ニップル１３０は真空源への接続用の開口１１０と連通する。手術において、真空が開口１１０を通して、また、これにより、フィルタ要素２０の空隙２００を通して空気を抜き取ることにより生成される。フィルタ要素２０が湿らない限り、空気はフィルタ要素２０の壁部を通して内部を流れることができ、これにより、キャニスタ５０内の負圧状態が生成される。
【０００８】
フィルタカートリッジ１０に形成されるリップ部１２０は、蓋４０に形成される開口部４３０と係合し、摩擦係合によりその上の適所に保持される。図６は、内部に挿入されるフィルタカートリッジ１０を有する蓋４０を示す断面図である。フィルタカートリッジ１０の底部に形成される開口部１５０は、ボールフロート３０が浮かぶとともにフィルタカートリッジ１０の底部に接する場合に、ボールフロート３０の外側表面と係合する形状および寸法に形成される。好ましくは、フィルタカートリッジ１０の外側壁部の下部は、僅かに可撓性を備える。
【０００９】
図３は、内部に挿入されるフィルタ要素２０を有するフィルタカートリッジ１０を示す断面図であり、フィルタカートリッジ１０の底部開口部１５０に接するボールフロート３０をさらに示す。キャニスタ５０が流体で満たされると、ボールフロート３０はこの位置に配置され、これにより、ボールフロート３０はその載置位置から浮かび、フィルタカートリッジ１０の底部開口部１５０と接触する。
【００１０】
図４は、装置の蓋４０の底部を示す斜視透視図である。蓋４０は、ボールフロート３０を保持するとともにフィルタカートリッジ２０を受承する容器４２０を形成する。ボールフロート３０は、保持タブ４１０によって容器４２０内に保持される。保持タブ４１０は、容器４２０からボールフロート３０を清掃の目的のために取り払うことができるように、外側に屈曲可能である。しかしながら、通常の状況下において、ボールフロート３０は、保持タブ４１０を超えて移動することはできない。好ましくは、蓋４０は高密度ポリエチレンからなり、ボールフロート３０はポリプロピレンからなり、中空である。
【００１１】
保持タブ４１０の底部と容器４２０の底壁部４２５との間の距離は、ボールフロート３０の径よりも大きい寸法に形成される。通常の作動において、ボールフロート３０は容器４２０の底壁部４２５に対して載置され、キャニスタ５０が流体で満たされた状況では、ボールフロート３０は、フィルタカートリッジ１０の底部開口部１５０によってさらなる移動が防止されるまで、浮かぶであろう。図６に示すように、フィルタカートリッジは、フィルタカートリッジ１０の底部開口部１５０が保持タブ４１０と同じ高さとなるように、容器４２０内を下方に延びる。したがって、ボールフロート３０が浮かぶとともに保持タブ４１０に接すると、フィルタカートリッジ１０の開口部１５０もボールフロート３０によって閉鎖されるであろう。容器４２０の幅は、ボールフロート３０が容器４２０内を縦に移動できるように、ボール３０の径よりも僅かに大きい。
【００１２】
図４に、別例による蓋４０をさらに示す。蓋４０は、構造上の隆起部４６０、およびこの例においてスナップ嵌合を利用してキャニスタ５０の上方リップ部と係合する内側リップ部４７０を含む。係合は他の手段を利用してもよい。蓋４０の上側表面（図示しない）にて収集装置、通常吸入器に接続する入口ポート４５０をさらに示す。キャップ４４０は収集装置が入口ポート４５０に接続されない場合に、外部から入口ポート４５０を閉鎖することに使用される。蓋４０は、内部に挿入されるフィルタ要素２０を有するフィルタカートリッジ１０を受承するために、その頂部に開口部４３０を形成する。
【００１３】
図５は、蓋４０を示す断面透視図であり、ボールフロート３０が内部に配置される容器４２０、並びにボールフロート３０を装置の通常の作動中に適所に保持する保持タブ４１０の寸法および空隙をより詳細に示す。フィルタカートリッジ１０は蓋４０の頂部に形成される開口部４３０内に挿入される。図３に示すように、フィルタカートリッジ１０の底部開口部１５０の隆起部は、ボールフロート３０が上方に浮かぶ際にボールフロート３０の一部がフィルタカートリッジ１０の底部を閉鎖するべく保持タブ４１０の上に延びるように、保持タブ４１０の底部に延びる。
【００１４】
多くの実施と同様に、キャニスタ５０および蓋４０は医療従事者によって再利用される。フィルタカートリッジ１０はフィルタカートリッジ１０の内部に挿入されるフィルタ要素２０とともに、蓋４０およびキャニスタ５０を何度も再利用できるように、装置の残部とは別に交換可能であり、また、販売されることが意図される。圧力がボールフロート３０の底部から作用されるとボールフロート３０が上向きに開口部４３０を通過するように十分な可撓性を備える保持タブ４１０を超えるようにボールフロート３０を押圧することにより、ボールフロート３０は、容器４２０から容易に取り払われることがさらに意図される。
【００１５】
フィルタ要素２０は、フィルタカートリッジ１０の内部上のニップル１３０と係合する開放端２００、外側壁部、および閉鎖端２１０を含む。外側壁部および閉鎖端２１０は、内側表面、外側表面を有するとともに協働して内部空間、すなわち円筒状に形成される空間を形成する。吸収性を備える弁３４の材料は、焼結したビーズや織り込まれたフィラメント間におけるような隙間の空間を有し、これにより、毛細管効果を生じさせる、多孔質の構造体である。
【００１６】
フィルタ要素２０は、好ましくは親水性または吸湿性を示す材料から形成される。フィルタ要素２０のこの流体吸収性は、材料の隙間の空間の毛細管作用によって少なくとも部分的に補助される。構造体はプラスチックのビーズあるいは粉末を焼結することにより形成される。このような構造体は、付加されるセルロースガムフィラーを有するポリエチレンプラスチックによって形成される。付加的に、多孔質の構造体を有することができる任意の好適なプラスチックやポリマは、セルロースガムフィラーを支持することに好適な材料の代用品である。セルロースガムフィラーは、隙間の空間を低減するための反応媒体として使用され、これにより、これらを通過する流体の流れを遅延させるとともにせき止める。流体との接触に際し、外側壁部および閉鎖端２１０の材料の隙間の空間は徐々に低減され、これにより、空気および流体の浸透性を一層制限する。以上により、体液が開口１１０を通して真空源に進入することが防止される。
【００１７】
本発明は特定の実施形態に関して記述されているが、様々な変更が行われてもよく、また、均等物が本発明の実質的な範囲から逸脱することなくその要素の代えられてもよいものといえる。付加的に、多くの修正がその実質的な範囲から逸脱することなく本発明の教示に所定の状況または材料を適応させるためになされてもよい。したがって、本発明は、特定の実施形態に制限されるものではないが、本発明が添付の特許請求の範囲内にある実施形態をすべて含むことが意図される。
【図１】
0006293774.tif 000002
【図２】
0006293774.tif 000003
【図３】
0006293774.tif 000004
【図４】
0006293774.tif 000005
【図５】
0006293774.tif 000006
【図６】
0006293774.tif 000007